(57)【要約】【課題】安全に解体重機を建物の上階に押し上げて建物の解体コストを低減する。【解決手段】建物の解体重機は、建物２０を破壊する解体具１２を先端に装備するアーム２と自走用の無限軌道３とを備える建物の解体重機であって、アーム２と無限軌道３とを備える重機本体４と、重機本体４を押し上げることができる昇降機５とを備え、昇降機５が重機本体４を押し上げて建物２０の上階に移動する。【選択図】図３
2018053494.tif 000002
【特許請求の範囲】
【請求項１】
建物を破壊する解体具を先端に装備するアームと自走用の無限軌道とを備える建物の解体重機であって、
前記アームと前記無限軌道とを備える重機本体と、
前記重機本体を押し上げることができる昇降機とを備え、
前記昇降機が前記重機本体を押し上げて建物の上階に移動するようにしてなることを特徴とする建物の解体重機。
【請求項２】
請求項１に記載される建物の解体重機であって、
前記昇降機は複数のジャッキを備えており、前記複数のジャッキが、前記重機本体を略水平姿勢で押し上げ可能な位置に連結されてなることを特徴とする建物の解体重機。
【請求項３】
請求項１または２に記載される建物の解体重機であって、
前記重機本体が、一対の無限軌道を装備する走行ベースと、前記走行ベースの上面に水平面内で回転自在に連結してなるオペレータキャビンと前記アームとを装備する回転ベースとを備え、
前記昇降機が前記回転ベースに連結されてなることを特徴とする建物の解体重機。
【請求項４】
請求項３に記載される建物の解体重機であって、
前記昇降機が、前記重機本体に脱着自在に連結されてなることを特徴とする建物の解体重機。
【請求項５】
請求項３に記載される建物の解体重機であって、
前記昇降機は、４基のジャッキを備えると共に、前記４基のジャッキを前記重機本体の両側の前後に垂直姿勢で配置してなることを特徴とする建物の解体重機。
【請求項６】
請求項１ないし５のいずれかに記載される建物の解体重機であって、
前記昇降機が無線のリモコン操作部で操作されることを特徴とする建物の解体重機。
【請求項７】
請求項５に記載される建物の解体重機であって、
前記ジャッキが、垂直姿勢で配置されたシリンダー部と前記シリンダー部に対して出し入れされるロッド部とを備えており、前記シリンダー部から前記ロッド部を突出させて、前記重機本体を押し上げることを特徴とする建物の解体重機。
【請求項８】
建物を破壊する解体具をアームの先端に装備する解体重機を建物の上階に移動する重機移動工程と、
建物の上階に移動された前記解体重機が建物を上階から下階に解体しながら降下する解体工程とで建物を解体する建物の解体方法であって、
前記重機移動工程が、
解体重機を上の階に押し上げることができる押上力とストロークを有する昇降機を前記解体重機に装備する重機準備工程と、
前記解体重機が配置される階の天井の一部を前記解体具で破壊して前記解体重機を通過できる通過穴を階上の床に開口する開口工程と、
前記昇降機で前記解体重機を押し上げて前記通過穴に通過させる重機押し上げ工程と、
前記解体重機が通過した前記通過穴に支持部材を橋渡しして、前記支持部材上に前記解体重機を載せて支持する重機支持工程と
を含むことを特徴とする建物の解体方法。
【請求項９】
請求項８に記載される建物の解体方法であって、
前記昇降機が複数のジャッキを備えると共に、前記ジャッキは、垂直姿勢で配置されたシリンダー部と前記シリンダー部に対して出し入れされるロッド部とを備えており、
前記重機押し上げ工程において、前記昇降機が前記シリンダー部から前記ロッド部を突出させて、該解体重機を上階まで押し上げることを特徴とする建物の解体方法。
【請求項１０】
請求項８または９に記載される建物の解体方法であって、
前記重機支持工程において、前記解体重機が通過した前記通過穴に支持部材を橋渡しした後、前記ジャッキが前記ロッド部を前記シリンダー部に収納して、前記解体重機を前記支持部材上に載せることを特徴とする建物の解体方法。
【請求項１１】
請求項８ないし１０のいずれかに記載される建物の解体方法であって、
前記重機支持工程の後工程として、前記支持部材上に支持された解体重機を走行させて上階の床面上に乗り入れる乗り入れ工程を備えており、
前記解体重機を乗り入れた階において、
前記開口工程と前記重機押し上げ工程と前記重機支持工程と前記乗り入れ工程とを繰り返して、前記解体重機を複数階にわたって建物の上階に移動させることを特徴とする建物の解体方法。
【発明の詳細な説明】
【技術分野】
【０００１】
本発明は、解体重機を建物の上部に移動し、この解体重機で建物を解体しながら降下させて建物全体を解体する解体重機と、この解体重機を使用する建物の解体方法に関し、とくに、建物の周囲に解体重機を吊り上げるクレーンを配置できない建物の解体に最適な解体重機と解体方法に関する。
【背景技術】
【０００２】
現在、建物は以下の方法で解体している。最も一般的な解体方法は、建物の外側に接近して、建物の屋上まで届く大型アームを装備する解体重機を配置して、この解体重機で建物を外側から解体する方法である。この方法は大型の解体重機を建物に接近して配置するので、建物の周囲に広い道路や敷地を必要とする。このため、周囲に広い道路や空き地のない建物はこの方法で解体できない。また、周囲に電線や電柱のある建物はこれ等が邪魔になって建物を解体できない。
【０００３】
周囲に広い道路や空き地のない建物は、解体重機を建物の上部に吊り上げて、解体重機で建物を解体しながら降下して建物全体を解体している。この方法も、解体重機をクレーンで吊り上げると、建物の周囲に解体重機を吊り下げるクレーンを配置するスペースを必要とする。このため、周囲に道路や空き地のない建物は解体重機を建物の上部に吊り上げできない。
【０００４】
この方法の欠点を解消するために、建物の屋上に解体重機を吊り上げるクレーンを固定し、このクレーンで解体重機を建物の上部に吊り上げる解体方法が開発されている。（特許文献１参照）
【先行技術文献】
【特許文献】
【０００５】
【特許文献１】特開２０１４−４７４７９号公報
【発明の概要】
【発明が解決しようとする課題】
【０００６】
従来の方法は、建物の屋上に架台を設け、この架台に吊上ウインチを設置し、この吊上ウインチで解体重機を建物の上部に吊り上げ、上部に移動された解体重機で建物を解体しながら降下して建物全体を解体する。この方法は、建物の屋上に架台や吊上ウインチを設置するので、この作業に極めて手間がかかる欠点がある。とくに、重い解体重機を吊り上げる吊上ウインチは相当な重量となるので、重い吊上ウインチや架台を建物の上部に持ち上げるのに極めて手間がかかり、またこれ等を建物の屋上に設置するのにさらに手間がかかる欠点がある。さらに、重い吊上ウインチや架台を建物の上部に移動させるので、これ等を安全に移動させるのが極めて難しい。重い吊上ウインチや架台を建物のエレベータで移動できないからである。とくに、解体する建物はエレベータの運転を停止しているものが多く、吊上ウインチや架台をエレベータに搭載できる大きさに分解できるとしても、エレベータを使用して持ち上げできず、架台と吊上ウインチの持ち上げと設置に極めて手間がかかり、また作業の安全性を確保するのが難しい欠点がある。
【０００７】
また、従来の方法では、建物の屋上に設けた架台に設置された吊上ウインチで解体重機を吊り上げるために、建物には複数階にわたって解体重機を通過させるための通過穴を開口すると共に、各階に開口された通過穴を垂直方向に直線状に配置している。このように、解体重機が通過できる大きな通過穴を建物の複数階にわたって形成するのは、極めて手間がかかる問題点がある。それは、コンクリートを破壊できる解体重機を使用できないからである。このため、作業員がコンクリートを破砕する電動ハンマ等を使用して開口する必要があり、この作業に時間と労力がかかってコストが高くなってしまう問題点がある。
【０００８】
さらに、複数階にわたって開口される通過穴は、吊り上げられる解体重機を通過させるために垂直方向に直線状に設けられるので、これらの通過穴により、建物内には上下に連続する吹き抜け部が形成される。このように高低差のある吹き抜け部は、その形成工程において作業員が落下したり、資材や廃材が高所から落下される危険性があり、極めて作業環境を悪くする問題点もある。
【０００９】
本発明は、これらの欠点を解決することを目的に開発されたものである。本発明の重要な目的は、簡単かつ容易に、しかも速やかに解体重機を建物の上部に移動でき、さらに建物の解体コストを低減しながら安全に建物を解体できる建物の解体重機と解体方法を提供することにある。
【課題を解決するための手段及び発明の効果】
【００１０】
本発明の建物の解体重機は、建物２０を破壊する解体具１２を先端に装備するアーム２と自走用の無限軌道３とを備える建物の解体重機であって、アーム２と無限軌道３とを備える重機本体４と、重機本体４を押し上げることができる昇降機５とを備え、昇降機５が重機本体４を押し上げて建物２０の上階に移動する。
【００１１】
以上の解体重機は、簡単かつ容易に、しかも速やかに解体重機を建物の上部に移動でき、さらに建物の解体コストを低減しながら安全に建物を解体できる特徴がある。それは、以上の解体重機が、重機本体を押し上げる昇降機を備えており、従来のように建物の屋上に架台や吊上クレーンを設置して解体重機をワイヤーで吊り上げることなく、昇降機で解体重機を押し上げて、解体重機を建物の上部に移動できるからである。
【００１２】
また、以上の解体重機は、架台や吊上クレーン等の重量物を建物の屋上に持ち上げる必要がなく、これ等の重量物を高い屋上まで持ち上げて設置する経費を削減できるので、建物を解体するためのトータルコストを相当に低減できる特徴も実現する。また、重量物を建物の上部に持ち上げて設置する危険な作業を必要とせず、安全に解体重機を建物の上階に移動して建物を解体できる特徴も実現する。
【００１３】
本発明の建物の解体重機は、昇降機５が複数のジャッキ１３を備え、複数のジャッキ１３を、重機本体４を略水平姿勢で押し上げ可能な位置に連結することができる。
以上の解体重機は、重機本体をほぼ水平姿勢に保持した状態で押し上げできるので、解体重機を安全に上階に移動できる特徴がある。
【００１４】
本発明の建物の解体重機は、重機本体４が、一対の無限軌道３を装備する走行ベース７と、走行ベース７の上面に水平面内で回転自在に連結してなるオペレータキャビン８とアーム２とを装備する回転ベース９とを備えて、昇降機５を回転ベース９に連結することができる。
【００１５】
以上の解体重機は、走行ベースの上面に連結された回転ベースに昇降機を連結するので、重機本体を押し上げる位置を解体重機の重心より高い位置として、解体重機を安定して押し上げできる特徴がある。
【００１６】
本発明の建物の解体重機は、昇降機５を、重機本体４に脱着自在に連結することができる。
以上の解体重機は、昇降機を重機本体に脱着自在に連結できるので、アームに装備した解体具で天井や壁等を破壊する際には、昇降機を取り外すことで作業を安全に、しかも効率よくできる特徴がある。
【００１７】
本発明の建物の解体重機は、昇降機５が４基のジャッキ３を備えて、４基のジャッキ１３を重機本体４の両側の前後に垂直姿勢で配置することができる。
以上の解体重機は、昇降機として４基のジャッキを重機本体の両側の前後に配置することで、重機本体を安定して押し上げて上階に移動できる。
【００１８】
本発明の建物の解体重機は、昇降機５を無線のリモコン操作部１１で操作することができる。
この解体重機は、オペレータが重機から離れてリモコン操作部で昇降機を操作できるので、より安全に重機本体を上階に押し上げできる特徴がある。
【００１９】
本発明の建物の解体重機は、ジャッキ１３が、垂直姿勢で配置されたシリンダー部１４とシリンダー部１４に対して出し入れされるロッド部１５とを備えて、シリンダー部１４からロッド部１５を突出させて、重機本体４を押し上げることができる。
【００２０】
本発明の建物の解体方法は、建物２０を破壊する解体具１２をアーム２の先端に装備する解体重機１を建物２０の上階に移動する重機移動工程と、建物２０の上階に移動された解体重機１が建物２０を上階から下階に解体しながら降下する解体工程とで建物を解体する。重機移動工程は、解体重機１を上の階に押し上げることができる押上力とストロークを有する昇降機５を解体重機１に装備する重機準備工程と、解体重機１が配置される階の天井２７の一部を解体具１２で破壊して解体重機１を通過できる通過穴２３を階上の床２２に開口する開口工程と、昇降機５で解体重機１を押し上げて通過穴２３に通過させる重機押し上げ工程と、解体重機１が通過した通過穴２３に支持部材２６を橋渡しして、支持部材２６上に解体重機１を載せて支持する重機支持工程とを含むことを特徴とする。
【００２１】
以上の解体方法は、簡単かつ容易に、しかも速やかに解体重機を建物の上部に移動でき、さらに建物の解体コストを低減しながら安全に建物を解体できる特徴がある。それは、以上の解体方法が、従来のように建物の屋上に架台や吊上クレーンを設置して解体重機をワイヤーで吊り上げるのではなく、解体重機に装備された昇降機で解体重機を押し上げて、解体重機を建物の上部に移動させるからである。とくに、以上の解体方法は、解体重機を押し上げる際には、解体重機が配置された階の天井の一部を解体具で破壊して通過穴を開口するので、簡単かつ容易に解体重機を通過させる通過穴を上階の床のコンクリートに開口することができる。このため、従来のように、各階の床にあらかじめ大きな通過穴を開口することなく、上階に移動される解体重機を使用して解体具で天井の一部を破壊して通過穴を開口しながら、昇降機で押し上げられる解体重機を通過穴に通過させて解体重機を建物の上階に押し上げる。また、以上の解体方法は、上階の床コンクリートに通過穴を開口する経費を削減できるので、建物を解体するためのトータルコストを相当に低減できる特徴も実現する。また、従来のように、建物の上部から下階まで連通された吹き抜け状の開口部を形成することなく、天井である階上の床に通過穴を開口し、解体重機を昇降機で押し上げて通過穴に通過させて上階に移動するので、危険な作業を必要とせず、安全に解体重機を建物の上部に移動して建物を解体できる特徴も実現する。
【００２２】
本発明の建物の解体方法は、昇降機５が複数のジャッキ１３を備えて、ジャッキ１３は、垂直姿勢で配置されたシリンダー部１４とシリンダー部１４に対して出し入れされるロッド部１５とを備えて、重機押し上げ工程において、昇降機５がシリンダー部１４からロッド部１５を突出させて、解体重機１を上階まで押し上げることができる。
【００２３】
本発明の建物の解体方法は、重機支持工程において、解体重機１が通過した通過穴２３に支持部材２６を橋渡しした後、ジャッキ１３がロッド部１５をシリンダー部１４に収納して、解体重機１を支持部材２６上に載せることができる。
【００２４】
本発明の建物の解体方法は、重機支持工程の後工程として、支持部材２６上に支持された解体重機１を走行させて上階の床面上に乗り入れる乗り入れ工程を備えて、解体重機１を乗り入れた階において、開口工程と重機押し上げ工程と重機支持工程と乗り入れ工程とを繰り返して、解体重機１を複数階にわたって建物２０の上階に移動させることができる。
【００２５】
以上の解体方法は、通過穴を通過して階上に押し上げた解体重機を、支持部材上で走行させて上階に入れた後、開口工程と重機押し上げ工程と重機支持工程と乗り入れ工程とを繰り返して、解体重機を複数階にわたって建物の上階に移動させるので、通過穴を開口して解体重機を押し上げる場所を階ごとに変更しながら解体重機を建物の上階に移動できる。このため、建物に開口される通過穴により形成される上下に伸びる吹き抜け部分の高低差を低減しながら解体重機を建物の最上階まで移動できる。とくに、解体重機を上階に乗り入れた状態で、天井の一部を解体重機の解体具で破壊して階上の床に通過穴を開口するので、解体重機を床面で安定して支持しながら安全に通過穴を開口することができる。また、昇降機の下端を床面で安定して支持しながら解体重機を押し上げて通過穴に通過させて上階に移動できる。
【図面の簡単な説明】
【００２６】
【図１】本発明の一実施形態にかかる建物の解体重機の側面図である。
【図２】図１に示す解体重機の背面図である。
【図３】図１に示す解体重機を昇降機で押し上げる状態を示す断面図である。
【図４】図２に示す解体重機を昇降機で押し上げる状態を示す断面図である。
【図５】本発明の一実施形態にかかる建物の解体方法の重機移動工程を示す概略工程図である。
【発明を実施するための形態】
【００２７】
以下、本発明の実施例を図面に基づいて説明する。ただし、以下に示す実施例は、本発明の技術思想を具体化するための建物の解体重機と建物の解体方法を例示するものであって、本発明は建物の解体重機と解体方法を以下のものと方法には特定しない。さらに、この明細書は、特許請求の範囲に示される部材を、実施例の部材に特定するものでは決してない。
【００２８】
（解体重機１）
図１と図２に示す解体重機１は、先端に建物を破壊する解体具１２を装備するアーム２と自走用の無限軌道３とを備える。さらに、解体重機１は、アーム２及び無限軌道３とを備える重機本体４と、解体重機１が配置された床面に対して、重機本体４を押し上げる昇降機５とを備える。
【００２９】
重機本体４は、両側に一対の無限軌道３を装備す１る走行ベース７と、走行ベース７の上面に水平面内で回転できるように連結しているオペレータキャビン８及びアーム２を装備する回転ベース９とを備える。
【００３０】
重機本体４の回転ベース９は、オペレータキャビン８の後方にエンジンキャビン１０を設けて、オペレータキャビン８の側部ないし前部にアーム２を連結している。オペレータキャビン８は、内部にオペレーターシート（図示せず）があって、このオペレーターシートに座るオペレーターが操作する複数の操作レバー（図示せず）を設けている。操作レバーは、無限軌道用と、回転ベース用と、アーム用とがある。無限軌道用の操作レバーは、これが操作されて一対の無限軌道３の前進と後退を制御して、重機本体４を前後にあるいは左右に曲がるように移動させる。回転ベース用の操作レバーは、回転ベース９を水平面内で回転させる。アーム２の操作レバーは、アーム２を制御して、アーム２先端に連結している建物を破壊する解体具１２を立体的に移動させると共に、解体具１２を操作して建物を解体する。
【００３１】
エンジンキャビン１０は、オペレータキャビン８よりも低く、内部に解体重機１を駆動するための駆動機構であるエンジン（図示せず）を内蔵している。
【００３２】
昇降機５は、重機本体４を押し上げることができる押上力を有すると共に、重機本体４を上の階の床面２２Ａまで押し上げることができるストロークを有している。図の昇降機５は、複数のジャッキ１３を備えており、これらのジャッキ１３を垂直姿勢で重機本体４に連結している。複数のジャッキ１３は、重機本体４を略水平姿勢で押し上げ可能な位置に連結されている。図に示す昇降機５は４基のジャッキ１３を備えており、４基のジャッキ１３を重機本体４の両側の前後に垂直方向に配置している。これにより、重機本体４を略水平姿勢でバランスよく押し上げできるようにしている。この昇降機５は、各ジャッキ１３の押上力を解体重機１の総重量の１／４よりも強くすることで、解体重機１を押し上げることができる。図に示す昇降機５は、各ジャッキ１３を、回転ベース９に固定している。回転ベース９に連結される昇降機５は、回転ベース９を押し上げることで、この回転ベース９の下方に回転自在に連結された走行ベース７を持ち上げできるようにしている。
【００３３】
各ジャッキ１３は、垂直姿勢で配置されたシリンダー部１４と、このシリンダー部１４に対して出し入れされるロッド部１５とを備えており、シリンダー部１４からロッド部１５を突出させて、重機本体４を押し上げできるようにしている。図３と図４に示すジャッキ１３は、シリンダー部１４の内部に伸縮自在にロッド部１５を収納している。
【００３４】
さらに、図３と図４に示すジャッキ１３は、伸縮のストロークを大きくするために、シリンダー部１４を外筒である第１シリンダー１４Ａと、第１シリンダー１４Ａに対して軸方向に出し入れされる第２シリンダー１４Ｂとで構成すると共に、この第２シリンダー１４Ｂに対して軸方向に出し入れされるロッド部１５とを備えている。すなわち、図に示すジャッキ１３は、複数のシリンダーを有する多段式のジャッキとしている。この昇降機５は、図３と図４に示すように、第１シリンダー１４Ａに対して第２シリンダー１４Ｂを突出させると共に、第２シリンダー１４Ｂに対してロッド部１５を突出させることで、ジャッキ１３の伸縮のストロークを大きくして、解体重機１を上階まで押し上げできるようしている。昇降機５は、重機本体４を建物の下階の床面２２Ａから上の階の床面２２Ａまで押し上げできるように、各ジャッキ１３の伸縮のストロークを３ｍ以上としている。
【００３５】
図１と図２に示すジャッキ１３は、ロッド部１５を下向きに突出させる姿勢として、外筒である第１シリンダー１４Ａを回転ベース９に連結している。下向きに突出するロッド部１５の下端には、床面２２Ａを安定して押圧するために、支持プレート部１６を連結している。各ジャッキ１３は、ロッド部１５を完全に収納した状態では、下端の支持プレート１６が走行ベース７の下面よりも上方に位置するようにしている。これにより、ジャッキ１３のロッド部１５を収納した状態で、無限軌道３を駆動させて走行ベース７で走行できるようにしている。
【００３６】
各ジャッキ１３は、図２に示すように、連結アーム１７を介して回転ベース９に連結されている。各ジャッキ１３は、伸縮するロッド部１５が走行ベース７の駆動に支障がないように、シリンダー部１４の連結位置が走行ベース７の両側であって無限軌道３から離れた位置となるように連結アーム１７で連結している。図２に示す解体重機１は、後方に配置されるジャッキ１３の上下を連結アーム１７を介して回転ベース９に連結している。図示しないが、前方に配置されるジャッキ１３は、アーム２の傾動に支障がないように、ジャッキ１３の下部のみを回転ベース９に連結している。
【００３７】
連結アーム１７を介して走行ベース７の両側に配置されるジャッキ１３は、さらに前後に配置されるジャッキ１３同士を固定アーム１８を介して連結している。前後に位置するジャッキ１３は、上下の２カ所を固定アーム１８を介して互いに連結している。以上のように、重機本体４の両側に配置されるジャッキ１３を連結アーム１７を介して回転ベースに連結すると共に、前後に位置するジャッキ１３を固定アーム１８を介して連結する構造は、複数のジャッキ１３を所定の姿勢に維持しながら、安定して重機本体４に連結できる。
【００３８】
図１に示す解体重機１は、回転ベース９の両側の前後に垂直姿勢でジャッキ１３の外筒である第１シリンダー１４Ａを固定している。このジャッキ１３は、図３と図４に示すように、第２シリンダー１４Ｂとロッド部１５を伸長する状態で、ロッド部１５の先端の支持プレート部１６を床面２２Ａに当接させて重機本体４を押し上げる。４本のジャッキ１３は同期して伸縮されて、重機本体４を略水平姿勢に保持した状態で昇降させる。このように、重機本体４の両側の前後に配置されるジャッキ１３から伸長されるロッド部１５の先端で建物２０の床面２２Ａを押圧して押し上げられる解体重機１は、４基のジャッキ１３の対角線の交点の近傍に、解体重機１の重心が位置するように４基のジャッキ１３を配置することで、重機本体４をほぼ水平姿勢としながら安定して押し上げることができる。
【００３９】
さらに、回転ベース９に連結される４基のジャッキ１３は、走行ベース７に対して回転する回転ベース９の回転に支障がないように、回転ベース９に連結することもできる。たとえば、解体重機は、重機本体の両側に配置されるジャッキの間隔を広くし、あるいは、前後に配置されるジャッキの間隔を広くし、あるいはまた、ジャッキの下端に連結される支持プレート部の収納位置を無限軌道の上面よりも上方とすることで、回転ベースを走行ベースに対してスムーズに回転できる。
【００４０】
さらに、昇降機は、重機本体に対して脱着自在に連結することもできる。この解体重機は、重機本体を上階に押し上げる際には、昇降機を重機本体に連結し、上階に移動された重機本体の解体具で天井の一部を破壊する際や、最上階に移動された解体重機で建物全体を解体する際には、昇降機を重機本体から外して作業をしやすくすることもできる。
【００４１】
昇降機５を構成するジャッキ１３は、エンジンで駆動される油圧ポンプから供給される加圧オイルで駆動される油圧ジャッキである。このジャッキ１３は、油圧でコントロールされて、第２シリンダー１４Ｂ及びロッド部１５が所定の長さまで伸長される。
【００４２】
さらに、図１と図２に示す昇降機５は、無線のリモコン操作部１１でロッド部１５の伸縮状態がコントロールされる。無線のリモコン操作部１１でロッド部１５の伸縮状態を制御できる解体重機１は、オペレーターが解体重機１に載ることなく、昇降機５を制御して、解体重機１を安全に押し上げることができる。ただし、オペレータキャビン８内に昇降機４を制御する操作レバー１３を設けて、この操作レバーで昇降機を制御することもできる。
【００４３】
図１に示す重機本体４のアーム２は、回転ベース９に連結される第１アーム２Ａと、この第１アーム２Ａの先端部に連結される第２アーム２Ｂとを備えている。第１アーム２Ａは、回転ベース９に対して傾動自在に連結されている。第２アーム２Ｂは、第１アーム２Ａに対して傾動自在に連結されている。第２アーム２Ｂの先端には解体具１２を連結している。
【００４４】
以上の解体重機は、以下に示す工程で建物の最上階に移動されて、建物を解体する。
本発明の建物の解体方法は、建物を破壊する解体具をアームの先端に装備する解体重機を建物の上階に移動する重機移動工程と、建物の上階に移動された解体重機が建物を上階から下階に解体しながら降下する解体工程とで建物を解体する。本発明の建物の解体方法は、重機移動工程で解体重機を建物の上階に移動させるが、従来のように、クレーンやウインチ等の吊上機構を使用して解体重機を建物の上部に吊り上げるのではなく、解体重機を押し上げ可能な昇降機を使用して、下階において解体重機を押し上げ、各階の天井（階上の床）に開口した通過穴に解体重機を通過させて解体重機を上階へと移動させることを特徴とする。すなわち、本発明は、解体重機を建物の上階に移動させる重機移動工程を特徴とするものである。以下、重機移動工程について詳述する。
【００４５】
図５は、実施形態１にかかる建物の解体方法における重機移動工程の工程図を示している。図５に示す重機移動工程は、図１と図２に示すように、昇降機５を装備する解体重機１を使用して、解体重機１を建物の上階に移動させる例を示している。なお、図５では、解体される建物２０を５階建てとし、解体重機１を１階から５階まで移動する工程を示している。ただ、本発明の解体方法は、解体される建物の階数を限定せず、２階以上の全ての建物に採用することができる。
【００４６】
［重機移動工程］
図５に示す重機移動工程は、解体重機１を上の階に押し上げることができる押上力とストロークを有する昇降機５を解体重機１に装備する重機準備工程と、解体重機１が配置される階の天井２７の一部を解体具で破壊して解体重機１を通過できる通過穴２３を階上の床２２に開口する開口工程と、昇降機５で解体重機１を押し上げて通過穴２３に通過させる重機押し上げ工程と、解体重機１が通過した通過穴２３に支持部材２６を橋渡しして、この支持部材２６上に解体重機１を載せて支持する重機支持工程とで解体重機１を建物２０の上階に移動させる。
【００４７】
さらに、図５に示す重機移動工程は、重機支持工程の後工程として、支持部材２６上に支持された解体重機１を走行させて上階の床面上に乗り入れる乗り入れ工程を備えている。図の重機移動工程は、解体重機１を乗り入れた階において、開口工程と重機押し上げ工程と重機支持工程と乗り入れ工程とを繰り返して、解体重機を複数階にわたって建物の上階に移動させる。
【００４８】
［重機準備工程］
重機準備工程では、解体重機１を押し上げることができる押上力を有する昇降機５を解体重機１に装備する。昇降機５は重機本体４を上の階に押し上げることができるストロークを有しており、図３と図４に示すように、重機本体４を略水平姿勢で垂直方向に押し上げできるように昇降機５を配置する。
【００４９】
［開口工程］
開口工程では、図５の（２）に示すように、解体重機１が配置される階の天井２７の一部を解体具１２で破壊して、解体重機１を通過できる大きさの通過穴２３を階上の床２２に開口する。図５の（２）は、１階に配置された解体重機１が解体具１２を使用して２階の床２２に通過穴２３を開口する状態を示している。
【００５０】
［重機押し上げ工程］
重機押し上げ工程では、図５の（３）に示すように、昇降機５で解体重機１を押し上げて通過穴２３に通過させる。図５の（３）は、解体重機１を建物２０の１階から２階に押し上げる状態を示している。解体重機１は、図１と図２に示すように、昇降機５を無線のリモコン操作部１１でコントロールできるようにしている。この解体重機１は、無線のリモコン操作部１１で昇降機５をコントロールし、ジャッキ１３のロッド部１５を突出させて、解体重機１を押し上げて通過穴２３に通過させて上の階に移動する。無線のリモコン操作部１１によらず、オペレータキャビン８の操作レバーで昇降機５をコントロールする解体重機１は、オペレーターがオペレータキャビン８のシートに座って操作レバーで昇降機を制御して解体重機１を押し上げる。
【００５１】
解体重機１は、昇降機５であるジャッキ１３のロッド部１５を突出させて重機本体４を上昇させる。図３と図４に示すように、ロッド１５を突出させるジャッキ１３は、重機本体４の走行ベース７の下面が上階の床面２２Ａよりも多少上方まで押し上げられるようにする。
【００５２】
［重機支持工程］
重機支持工程では、図３と図４の鎖線で示すように、解体重機１を押し上げて通過させた通過穴２３に支持部材２６を橋渡しして、支持部材２６上に解体重機１を載せて支持する。支持部材２６は、通過穴２３を橋渡しして解体重機１を載せることができる長さと幅を有する歩み板が使用できる。さらに、支持部材２６は、通過穴２３を橋渡しした状態で解体重機１を支持できる強度も備えている。さらにまた、支持部材２５は、歩み板に加えて、あるいは歩み板に代わって、鋼材や鉄板を使用して解体重機１を支持することもできる。支持部材２６は、重機押し上げ工程において解体重機１を通過穴２３が開口された床よりも高く押し上げた状態で、解体重機１の下方において通過穴２３に橋渡しされる。その後、昇降機５が重機本体４を降下させて、解体重機１が支持部材１の上に配置される。
【００５３】
［乗り入れ工程］
さらに、支持部材２６の上に配置された解体重機１を、図５の（４）の矢印で示すように、支持部材２６上で走行させて支持部材２６から上階の床面２２Ａに乗り入れて移動させる。
【００５４】
以上のようにして、解体重機１は上階の床面上に移動される。さらに、重機移動工程は、解体重機１を乗り入れた階（図５においては２階）において、前述の開口工程と重機押し上げ工程と重機支持工程と乗り入れ工程により解体重機を上の階（図５においては３階）まで移動させる。すなわち、図５の（５）に示すように、２階の天井２７の一部を解体具１２で破壊して、解体重機１を通過できる大きさの通過穴２３を３階の床２２に開口し、図５の（６）に示すように、昇降機５で解体重機１を押し上げて、３階の床２２に開口した通過穴２３に通過させ、さらに、図５の（７）に示すように、解体重機１を通過させた通過穴２３に支持部材２６を橋渡しして、支持部材２６上に解体重機１を載せた後、支持部材２６上を走行させて３階の床面上に乗り入れる。
【００５５】
さらに、重機移動工程は、解体重機１を乗り入れた各階において、開口工程と重機押し上げ工程と重機支持工程と乗り入れ工程とを繰り返すことによって、図５の（８）に示すように、解体重機１を複数階にわたって建物２０の上階に移動させる。図５の（８）では、解体重機１を建物２０の最上階である５階の床２２まで移動する状態を示している。
【００５６】
［解体工程］
以上のように、重機移動工程で建物２０の最上階まで移動された解体重機１を使用して、建物を解体しながら降下する。解体工程では、建物２０の最上階に移動された解体重機１のオペレータキャビン８にオペレーターが入り、シートに座って操作レバーを操作して、建物２０を上階から下階に解体しながら降下して建物全体を解体する。このとき、解体重機は、建物の解体に支障がないように昇降機を収納し、あるいは、昇降機を脱着できる解体重機においては、昇降機を取り外すこともできる。
【００５７】
最上階に移動された解体重機１は、天井である屋上部分と壁を解体し、さらに床２２の一部を解体して、下の階に移動する。各階においても、解体重機１は、天井と壁を解体し、さらに床２２の一部を解体しながら、下の階に移動する。解体重機１が下の階に移動する方法は、従来から行われているように、歩み板を敷設してその上を移動して降下し、あるいは解体したがれきで下の階に移動する通路を設けて降下する。
【００５８】
以上の実施形態にかかる重機移動工程では、開口工程において通過穴２３を設ける場所を上下の階で異なる場所としながら、すなわち、解体重機１を押し上げる位置を変えながら解体重機を建物の上階へと移動させている。この実施形態の解体方法では、押し上げ工程において、昇降機５が床面２２Ａを押圧することで重機本体４を上階に押し上げている。さらに、以上の方法では、昇降機５のジャッキ１３から突出するロッド部１５の下端で床面２２Ａを安定して押圧しながら押し上げできる特徴がある。
【産業上の利用可能性】
【００５９】
本発明は、建物の周囲に解体重機を吊り上げる大型クレーンなどを設置できない都会などで、大型クレーンを使用することなく解体重機を押し上げて安全に建物を解体する用途に便利に使用できる。
【符号の説明】
【００６０】
１…解体重機
２…アーム
２Ａ…第１アーム
２Ｂ…第２アーム
３…無限軌道
４…重機本体
５…昇降機
７…走行ベース
８…オペレータキャビン
９…回転ベース
１０…エンジンキャビン
１１…リモコン操作部
１２…解体具
１３…ジャッキ
１４…シリンダー部
１４Ａ…第１シリンダー
１４Ｂ…第２シリンダー
１５…ロッド部
１６…支持プレート部
１７…連結アーム
１８…固定アーム
２０…建物
２２…床
２２Ａ…床面
２３…通過穴
２６…支持部材
２７…天井
【図１】
2018053494.tif 000003
【図２】
2018053494.tif 000004
【図３】
2018053494.tif 000005
【図４】
2018053494.tif 000006
【図５】
2018053494.tif 000007